(57)【特許請求の範囲】
【請求項１】
プラグ差込口を備え、該プラグ差込口に接続されたプラグを介して負荷に電力を供給するためのプラグソケットと、
該プラグソケットに流れる電流値を検知する電流検知部と、
該電流検知部を駆動するための電力供給のオン・オフを行なう検知部電力スイッチと、
前記電流検知部への電力の供給時間、及び供給停止時間を計測するタイマと、
前記電流検知部により検知された電流値に基づいて前記検知部電力スイッチを制御する制御手段と、
該制御手段に指令を与えるサーバとの通信を行なう通信手段と、を備え、
前記制御手段は、前記電流検知部が前記プラグソケットに流れる電流値がゼロの状態を検知し、且つ前記タイマが前記電流値がゼロの状態を所定時間継続したことを計測した場合、前記電流検知部への電力の供給を停止するように前記検知部電力スイッチを制御し、その後、所定の時間経過したことを前記タイマにより計測すると、前記電流検知部へ電力を供給するように前記検知部電力スイッチを制御することを特徴とする電源タップ。
【請求項２】
前記通信手段を駆動するための電力供給のオン・オフを行なう通信電力スイッチを備え、
前記制御手段は、前記電流検知部への電力供給のオン・オフが継続している間は、前記通信手段への電力の供給を停止するように前記通信電力スイッチを制御することを特徴とする請求項１に記載の電源タップ。
【請求項３】
前記制御手段は、前記電流検知部への電力供給のオン・オフが所定の回数繰り返された時に、前記通信手段に電力を供給するように前記通信電力スイッチを制御することを特徴とする請求項２に記載の電源タップ。
【請求項４】
前記プラグソケットへの電力供給のオン・オフを行なうプラグソケットスイッチを備え、
前記制御手段は、前記通信手段を介して前記サーバから前記プラグソケットへの電力の供給を停止する指令を受信すると、前記プラグソケットへの電力の供給を停止するように前記プラグソケットスイッチを制御することを特徴とする請求項１に記載の電源タップ。
【発明の詳細な説明】
【技術分野】
【０００１】
本発明は、電源タップに関し、特に、インテリジェントタイプの電源タップに係る省エネ技術に関するものである。
【背景技術】
【０００２】
従来から、無線ＬＡＮ等を介して遠隔でプラグソケットに接続された電機機器を監視して電源制御を行なう電源タップが知られている。例えば、特許文献１には、電源タップの各プラグソケットに電源をＯＮ・ＯＦＦするリレーと、各プラグソケットから電気機器に流れる電流を計測するための電流センサが設けられている。また、制御部には、各電流センサからの計測値を受け入れる計測手段と、ＬＡＮとの通信を行なう通信手段と、ＬＡＮを介して接続されたサーバからの指令を受けて、リレーのＯＮ・ＯＦＦを切り替える手段が備えられている。
この電源タップは、プラグソケットに接続されたパソコンの電源がＯＦＦとなっていても、待機電力は供給され続けているため、この待機電力に相当する電流を電流センサで検出したとき、この情報がサーバに伝わると、リレーをＯＦＦするように指令が発せられ、リレーをＯＦＦして省エネするといった使い方をする。このように、電源タップをインテリジェント化することによって、オフィスなどにおける夜間の待機電力を低減できるなどの省エネ効果が期待できる。
【先行技術文献】
【特許文献】
【０００３】
【特許文献１】特開２００６−１１４９９７公報
【発明の概要】
【発明が解決しようとする課題】
【０００４】
しかしながら、特許文献１に開示されている従来技術は、電源タップをインテリジェント化したことによって、電源タップ自体の消費電力が無視できないという問題が生じている。特に、オフィスなどでは、多数の電源タップを使用するので、電源タップが消費する電力をいかにして低減するかが課題となっている。
本発明は、かかる課題に鑑みてなされたものであり、電源タップを構成する回路部の電力を極力省エネすることにより、電源タップ自体の消費電力を低減した電源タップを提供することを目的とする。
【課題を解決するための手段】
【０００５】
本発明はかかる課題を解決するために、請求項１は、プラグ差込口を備え、該プラグ差込口に接続されたプラグを介して負荷に電力を供給するためのプラグソケットと、該プラグソケットに流れる電流値を検知する電流検知部と、該電流検知部を駆動するための電力供給のオン・オフを行なう検知部電力スイッチと、前記電流検知部への電力の供給時間、及び供給停止時間を計測するタイマと、前記電流検知部により検知された電流値に基づいて前記検知部電力スイッチを制御する制御手段と、該制御手段に指令を与えるサーバとの通信を行なう通信手段と、を備え、前記制御手段は、前記電流検知部が前記プラグソケットに流れる電流値がゼロの状態を検知し、且つ前記タイマが前記電流値がゼロの状態を所定時間継続したことを計測した場合、前記電流検知部への電力の供給を停止するように前記検知部電力スイッチを制御し、前記検知部電力スイッチにより前記電流検知部への電力の供給を停止した後、所定の時間経過したことを前記タイマにより計測すると、前記電流検知部へ電力を供給するように前記検知部電力スイッチを制御することを特徴とする。
本発明に係る電源タップは、負荷に流れる電流を検知する電流検知部の消費電力を抑制することが目的である。そのために、電流検知部の電源経路に直列に回路をＯＮ・ＯＦＦするためのスイッチを備える。このスイッチは、リレーでも電子スイッチでも構わないが、可能な限り消費電力が少ない素子が好ましい。本発明では、電流検知部により検知されたプラグソケットに流れる電流（負荷電流と等価）がゼロになり、この状態が所定の時間継続した場合に、プラグソケットに負荷が接続されていない状態であると判断して、制御手段は、更に省エネを実施するために、電流検知部を駆動している直流電力の供給を停止する。これにより、無負荷状態になった場合に、不要な回路の電力を削減することができる。更に、前記制御手段は、無負荷状態から、いつ定常状態に復帰するか予測ができない。そこで本発明では、電流検知部を間欠的に駆動させて、負荷の状態を周期的に検知するために、電流検知部への電力を停止した後に、所定の時間経過後に、電流検知部への電力の供給を再開する。これにより、消費電力を低減しながら、負荷の状態を検知することができる。
【０００６】
請求項２は、前記通信手段を駆動するための電力供給のオン・オフを行なう通信電力スイッチを備え、前記制御手段は、前記電流検知部への電力供給のオン・オフが継続している間は、前記通信手段への電力の供給を停止するように前記通信電力スイッチを制御することを特徴とする。
通信手段は、サーバからの指令に基づいて電源タップを制御する。その中で、電流検知部が周期的にＯＮ・ＯＦＦの動作を開始している場合、負荷に殆ど電流が流れていない状態が長時間継続していると判断して、サーバとの通信を中断しても支障がないため通信手段への電力を停止する。これにより、更に省エネを実現することができる。
【０００７】
請求項３は、前記制御手段は、前記電流検知部への電力供給のオン・オフが所定の回数繰り返された時に、前記通信手段に電力を供給するように前記通信電力スイッチを制御することを特徴とする。
無負荷状態から、いつ定常状態に復帰するか予測ができない。そこで本発明では、電流検知部のＯＮ・ＯＦＦの動作が所定の回数継続した場合、再び通信手段に電力を供給してサーバとの通信を可能とする。これにより、更に消費電力を低減しながら、サーバとの通信を実行することができる。
請求項４は、前記プラグソケットへの電力供給のオン・オフを行なうプラグソケットスイッチを備え、前記制御手段は、前記通信手段を介して前記サーバから前記プラグソケットへの電力の供給を停止する指令を受信すると、前記プラグソケットへの電力の供給を停止するように前記プラグソケットスイッチを制御することを特徴とする。
例えば、業務が終了した夜中や休日は、プラグソケットに負荷が接続されている場合、待機状態で電力が消費されている場合が多い。特に、負荷の数が多いときは、待機電力であっても大きな消費電力となる。そのような状態をサーバが検知した場合は、プラグソケットへの電力を停止して待機電力を停止することにより、大きな省エネにつながる。そこで本発明では、そのような状態を検知すると、サーバから通信手段を介してプラグソケットへの電力を停止する指令を送信して、待機電力を停止する。これにより、不要な待機電力を削減することができる。
【発明の効果】
【０００８】
本発明によれば、電流検知部により検知されたプラグソケットに流れる電流がゼロになり、この状態が所定の時間継続した場合に、プラグソケットに負荷が接続されていない状態であると判断して、制御手段は、更に省エネを実行するために、電流検知部を駆動している直流電力の供給を停止するので、無負荷状態になった場合に、不要な回路の電力を削減することができる。
また、電流検知部を間欠的に駆動させて、負荷の状態を周期的に検知するために、電流検知部への電力を停止した後に、所定の時間経過後に、電流検知部への電力の供給を再開するので、消費電力を低減しながら、負荷の状態を検知することができる。
また、電流検知部が周期的にＯＮ・ＯＦＦの動作を開始している場合、負荷に殆ど電流が流れていない状態が長時間継続していると判断して、サーバとの通信を中断しても支障がないと判断して通信手段への電力を停止するので、更に省エネを実現することができる。
また、電流検知部のＯＮ・ＯＦＦの動作が所定の回数継続した場合、再び通信手段に電力を供給してサーバとの通信を可能とするので、更に消費電力を低減しながら、サーバとの通信を実行することができる。
また、待機状態で電力が消費されている状態を検知すると、サーバから通信手段を介してプラグソケットへの電力を停止する指令を送信して、待機電力を停止するので、不要な待機電力を削減することができる。
【図面の簡単な説明】
【０００９】
【図１】本発明の第１の実施形態に係る電源タップの構成を示す図である。
【図２】本発明の第２の実施形態に係る電源タップの構成を示す図である。
【図３】第１の実施形態に係る電源タップの動作を説明するフローチャートである。
【図４】第２の実施形態に係る電源タップの動作を説明するフローチャートである。
【図５】第３の実施形態に係る電源タップの動作を説明するフローチャートである。
【図６】（ａ）は、第１の実施形態に係る電源タップ内の電流センサと検知部ＳＷの関係を示すタイミングチャートであり、（ｂ）は、第２の実施形態に係る電源タップ内の検知部ＳＷと通信部ＳＷの関係を示すタイミングチャートである。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
図１は、本発明の第１の実施形態に係る電源タップの構成を示す図である。本発明の電源タップ５０は、プラグ差込口１ａを備え、このプラグ差込口１ａに接続されたプラグを介して負荷に電力を供給するためのプラグソケット１と、プラグソケット１のケーブル２に流れる電流値を検知する電流センサ３とＡ／Ｄ変換を行なう電流増幅部５から成る電流検知部２２と、電流検知部２２を駆動するための電力供給のＯＮ・ＯＦＦを行なう検知部ＳＷ（検知部電力スイッチ）６と、プラグソケット１への電力供給のＯＮ・ＯＦＦを行なうソケットＳＷ（プラグソケットスイッチ）４と、電流検知部２２により検知された電流値に基づいて検知部ＳＷ６を制御する制御装置（制御手段）１７と、制御装置１７に指令を与える図示しないサーバとの通信を行なう通信部（通信手段）１３と、各部に直流電力を供給するＤＣ電源部１８と、プラグソケット１とＤＣ電源部１８に交流電力を供給するプラグ２１と、を備えている。
尚、制御装置１７は、電流検知部２２への電力の供給時間、及び供給停止時間を計測するタイマ１６と、電流増幅部５により増幅された電流値を入力し、検知部ＳＷ６及びソケットＳＷ４に動作信号を出力するＩ／Ｏポート１４と、通信部１３を介してサーバとの信号の授受及び全体を制御する制御部１５と、を備えている。また、図では３回路を制御するように構成されており、各回路は同じ構成要素により構成されている。即ち、各ソケットＳＷ４には、プラグ２１からケーブル１１を介してＡＣ１００Ｖが供給され、ソケットＳＷ４の出力はケーブル２を介して各プラグソケット１に接続されている。また、各電流増幅部５からの出力信号は、ケーブル８を介してＩ／Ｏポート１４に入力され、Ｉ／Ｏポート１４からの制御信号は、各検知部ＳＷ６にケーブル９を介して接続されると共に、各ソケットＳＷ４にケーブル１０を介して接続されている。また、ＤＣ電源部１８から、各検知部ＳＷ６にケーブル７を介してＤＣ電力が供給されている。更に、制御装置１７の電源としてケーブル１９を介して供給されている。また、通信部１３はネットワーク１２を介して図示しないサーバに接続されている。
【００１２】
次に、本発明の電源タップ５０の概略動作について説明する。通常使用状態では、各プラグソケット１には、例えばＰＣ等が接続されている。また、制御部１５は、各ソケットＳＷ４をＯＮして、各プラグソケット１にＡＣ電力を供給する。また、各検知部ＳＷ６をＯＮして、各電流検知２２にＤＣ電力を供給する。ＰＣが起動すると当然ケーブル２には負荷に応じた電流が流れ、電流センサ３により電流値が検知されて、電流増幅部５により電流値がＡ／Ｄ変換されてＩ／Ｏポート１４に入力する。制御部１５は各電流検知部２２の電流を監視し、プラグソケット１に流れる電流の変化をみる。ここで、ケーブル２に流れる電流がゼロであることを制御部１５が検知し、その状態が所定の時間継続すると、プラグソケット１からプラグが抜かれていると見なして、電流検知部２２に供給する電力を停止するために、検知部ＳＷ６をＯＦＦする信号をケーブル９を介してＩ／Ｏポート１４から出力する。その結果、ＤＣ電源部１８から供給されているＤＣ電力は電流検知部２２に供給されなくなり、その分、省エネとなる。
また、夜間等に、ＰＣが待機モードになると、待機電流が電流センサ３により検知され、その値が制御部１５に入力される。そして、その状態を通信部１３を介してサーバに送信される。サーバでは、各プラグソケットの電流値から待機モードであることを検知すると、それに対応するプラグソケット１のソケットＳＷ４をＯＦＦする指令を制御装置１７に送信する。その結果、そのプラグソケット１に接続されているＰＣの待機電力が停止される。当然、そのときは、電流検知部２２の電力も停止されている。
【００１３】
以上のとおり、本実施形態に係る制御装置１７は、電流検知部２２がプラグソケット１に流れる電流値がゼロの状態を検知し（本明細書において「電流値がゼロ」とは、プラグソケットに負荷が何も接続されていない状態のときの電流値のことを指す）、且つタイマ１６が電流値がゼロの状態を所定時間継続したことを計測した場合、電流検知部２２への電力の供給を停止するように検知部ＳＷ６を制御する。
本実施形態に係る電源タップ５０は、負荷に流れる電流を検知する電流検知部２２の消費電力を抑制することが目的である。そのために、電流検知部２２の電源経路２に直列に回路をＯＮ・ＯＦＦするための検知部ＳＷ６を備える。この検知部ＳＷ６は、リレーでも電子スイッチでも構わないが、可能な限り消費電力が少ない素子が好ましい。本実施形態では、電流検知部２２により検知されたプラグソケット１に流れる電流（負荷電流と等価）がゼロになり、この状態が所定の時間継続した場合に、プラグソケット１に負荷が接続されていない状態であると判断して、制御装置１７は、更に省エネを実行するために、電流検知部２２を駆動している直流電力の供給を停止する。これにより、無負荷状態になった場合に、不要な回路の電力を削減することができる。
【００１４】
図２は、本発明の第２の実施形態に係る電源タップの構成を示す図である。同じ構成要素には図１と同じ参照番号を付し、説明を省略する。図２が図１と異なる点は、通信部１３を駆動するための電力供給のＯＮ・ＯＦＦを行なう通信部ＳＷ（通信電力スイッチ）２３を備えた点である。そして、制御装置１７は、全ての電流検知部２２への電力供給のＯＮ・ＯＦＦが継続している間は、通信部１３への電力の供給を停止するように通信部ＳＷ２３を制御する。即ち、通信部１３は、サーバからの指令を受信して制御装置１７に伝えて、その指令に基づいて制御装置１７が電源タップ５１を制御する。その中で、制御装置１７は、全ての電流検知部２２が周期的にＯＮ・ＯＦＦの動作を開始している場合、負荷に殆ど電流が流れていない状態が長時間継続していると判断して、サーバとの通信を中断しても支障がないと判断して通信部１３への電力を停止する。これにより、更に省エネを実現することができる（このとき、通信の停止が故障ではなく、省エネモードへの移行であることを事前にサーバへ通知するようにすることが望ましい）。
また、制御装置１７は、電流検知部２２への電力供給のＯＮ・ＯＦＦが所定の回数繰り返された時に、通信部１３に電力を供給するように通信部ＳＷ２３を制御する。即ち、無負荷状態から、いつ定常状態に復帰するか予測ができない。そこで本実施形態では、電流検知部２２のＯＮ・ＯＦＦの動作が所定の回数継続した場合、再び通信部１３に電力を供給してサーバとの通信を可能とする。これにより、更に消費電力を低減しながら、サーバとの通信を実行することができる（詳細は後述する）。
【００１５】
図３は、第１の実施形態に係る電源タップの動作を説明するフローチャートである。本フローチャートでは、プラグソケット１から、プラグが抜かれた状態について説明し、全ての回路が同じ構成であるため、一つの回路の動作についてのみ説明する。プラグソケット１からプラグが抜かれると、ケーブル２には電流が流れなくなり、電流センサ３は電流ゼロを検知する（Ｓ１でＹ）。その結果、電流増幅部５は電流ゼロの状態をＩ／Ｏポート１４に入力する。制御部１５はＩ／Ｏポート１４の各入力ポートの状態を時分割に検索しているので、特定の入力ポートがゼロを検知すると、その時点からタイマ１６を起動して時間（ｔ１）を計測する。そして予め設定した時間が経過しても電流ゼロが継続していると（Ｓ２でＹ）、制御部１５は、電流がゼロを検知した電流検知部２２の検知部ＳＷ６をＯＦＦするために、Ｉ／Ｏポート１４の対応する出力ポートにＯＦＦ信号を出力する（Ｓ３）。その結果、対応する検知部ＳＷ６がＯＦＦとなり（Ｓ４）、ＤＣ電源部１８から供給されているＤＣ電力の経路を遮断して電流検知部２２に電力の供給を停止する。
制御部１５は検知部ＳＷ６をＯＦＦしてから所定時間（ｔ２）を計測して（Ｓ５でＹ）、再び検知部ＳＷ６をＯＮするために、Ｉ／Ｏポート１４の対応する出力ポートにＯＮ信号を出力する（Ｓ６）。その後は、ステップＳ１に戻って以上の動作を繰り返す。尚、このフローチャートのステップＳ１において、電流センサ３が何らかの電流が流れていることを検知した場合は（Ｓ１でＮ）、プラグソケット１に負荷が接続されていることを示すため、ステップＳ６に進んで、検知部ＳＷ６をＯＮし、電流検知部２２の動作を継続する。
【００１６】
図４は、第２の実施形態に係る電源タップの動作を説明するフローチャートである。本フローチャートでは、プラグソケット１から、プラグが抜かれた状態について説明し、全ての回路が同じ構成であるため、一つの回路の動作についてのみ説明する。また、図３と同じステップには同じステップ番号を付し、説明を省略する。
図４では、ステップＳ６までは図３と同じであるので、それ以降の動作について説明する。制御部１５は、検知部ＳＷ６がＯＮ・ＯＦＦの繰り返しを開始すると、プラグソケット１に負荷が接続されていないと見なして、更なる省エネを実施するために、Ｉ／Ｏポート１４の対応する出力ポートにＯＦＦ信号を出力して通信部ＳＷ２３をＯＦＦする（Ｓ７）。そして、その状態を記憶するために内部のカウンタをインクリメントする（Ｓ８）。制御部１５は、カウンタの値が所定の数（Ｎ）になったかをチェックし（Ｓ９）、カウンタ値がＮに到達するまでステップＳ１に戻って繰り返す。この動作は、検知部ＳＷ６がＯＮ・ＯＦＦを所定の回数（Ｎ）繰り返している間は、通信部１３の電力をＯＦＦするためである。しかし、いつプラグソケット１に負荷が接続されるか分らないので、所定の周期（カウンタ値がＮ）になると（Ｓ９でＹ）、Ｉ／Ｏポート１４の対応する出力ポートにＯＮ信号を出力して（Ｓ１０）、通信部ＳＷ２３をＯＮして（Ｓ１１）、カウンタをリセットして（Ｓ１２）ステップＳ１に戻って動作を繰り返す。
一方、このフローチャートのステップＳ１において、電流センサ３に何らかの電流が流れている場合は（Ｓ１でＮ）、プラグソケット１に負荷が接続されていることを示すため、ステップＳ１０に進んでＩ／Ｏポート１４の対応する出力ポートにＯＮ信号を出力して、通信部ＳＷ２３をＯＮして通信部１３にＤＣ電力を供給する。
【００１７】
図５は、第３の実施形態に係る電源タップの動作を説明するフローチャートである。図４と同じステップには同じステップ番号を付し、説明を省略する。図５では、ステップＳ６までは図４と同じであるので、それ以降の動作について説明する。ステップＳ６の状態を記憶するために内部のカウンタをインクリメントする（Ｓ８）。制御部１５は、カウンタの値が所定の数（Ｎ）になったかをチェックし（Ｓ９）、カウンタ値がＮに到達するまでステップＳ１に戻って繰り返す。所定の周期（カウンタ値がＮ）になると（Ｓ９でＹ）、通信部ＳＷ２３の状態をみて、通信部ＳＷ２３がＯＮであれば（Ｓ１３でＹ）、通信部ＳＷ２３をＯＦＦにして（Ｓ７）、カウンタをリセットして（Ｓ１２）ステップＳ１に戻って動作を繰り返す。
一方、このフローチャートのステップＳ１において、電流センサ３に何らかの電流が流れている場合は（Ｓ１でＮ）、プラグソケット１に負荷が接続されていることを示すため、通信部ＳＷ２３の状態をみて、通信部ＳＷ２３がＯＦＦであれば（Ｓ１４でＹ）、Ｉ／Ｏポート１４の対応する出力ポートにＯＮ信号を出力して（Ｓ１０）、通信部ＳＷ２３をＯＮして（Ｓ１１）通信部１３にＤＣ電力を供給してステップＳ１２に進む。ステップＳ１４で通信部ＳＷ２３がＯＮであれば（Ｓ１４でＮ）、ステップＳ１２に進む。
【００１８】
図６（ａ）は、第１の実施形態に係る電源タップ内の電流センサと検知部ＳＷの関係を示すタイミングチャートであり、図６（ｂ）は、第２の実施形態に係る電源タップ内の検知部ＳＷと通信部ＳＷの関係を示すタイミングチャートである。
図６（ａ）では、電流センサ３には電力が供給されているので、電流センサ３によりモニタポイントで電流値を測定することができる。その電流値がゼロを検知した場合は、その状態が時間ｔ１だけ経過したことを検知すると、検知部ＳＷ６をＯＦＦにする。その時点から時間ｔ２後に検知部ＳＷ６を再びＯＮにして、モニタポイントの電流値がまだゼロであれば、その状態が時間ｔ１だけ経過したことを検知すると、検知部ＳＷ６をＯＦＦにする。このように、電流センサ３の電流がゼロの間は、検知部ＳＷ６を間欠動作させることにより、連続動作よりも電力を省エネすることができる。ここで、検知部ＳＷ６をＯＮしたときに、電流センサ３が電流を検知すると、その時点から検知部ＳＷ６をＯＮ状態のままにする。尚、時間ｔ１とｔ２の大小関係は、ｔ１＜ｔ２であることが好ましい。
図６（ｂ）では、検知部ＳＷ６が間欠動作している間は、負荷がプラグソケット１に接続されていないため、通信部１３とサーバとの通信は不要であるので、時間ｔ４の間隔で通信部ＳＷ２３をＯＦＦして通信部１３へのＤＣ電力の供給を停止する。しかし、いつ負荷がプラグソケットに接続されるのかが分らないので、時間ｔ４が経過して、検知部ＳＷ６がＯＮになったタイミングで時間ｔ３だけ一旦通信部ＳＷ２３をＯＮにする。尚、時間ｔ１〜ｔ４の大小関係は、ｔ１＜ｔ２＜ｔ３＜ｔ４であることが好ましい。
【００１９】
以上説明のとおり、本発明によれば、電流検知部２２により検知されたプラグソケット１に流れる電流がゼロになり、この状態が所定の時間（ｔ１）継続した場合に、プラグソケット１に負荷が接続されていない状態であると判断して、制御装置１７は、更に省エネを実行するために、電流検知部２２を駆動している直流電力の供給を停止するので、無負荷状態になった場合に、不要な回路の電力を削減することができる。
また、電流検知部２２を間欠的に駆動させて、負荷の状態を周期的に検知するために、電流検知部２２への電力を停止した後に、所定の時間（ｔ２）経過後に、電流検知部２２への電力の供給を再開するので、消費電力を低減しながら、負荷の状態を検知することができる。
また、電流検知部２２が周期的にＯＮ・ＯＦＦの動作を開始している場合、負荷に殆ど電流が流れていない状態が長時間継続していると判断して、サーバとの通信を中断しても支障がないと判断して通信部１３への電力を停止するので、更に省エネを実現することができる。
また、電流検知部２２のＯＮ・ＯＦＦの動作が所定の回数継続した場合、再び通信部１３に電力を供給してサーバとの通信を可能とするので、更に消費電力を低減しながら、サーバとの通信を実行することができる。
また、待機状態で電力が消費されている状態を検知すると、サーバから通信部１３を介してプラグソケット１への電力を停止する指令を送信して、待機電力を停止するので、不要な待機電力を削減することができる。
【００２０】
更に、本発明は次のように変形することができる。
ソケットＳＷ４がＯＦＦの状態で、プラグソケット１に電気機器の電源プラグが挿入されても、制御部１５はこれを検知できず、図示しないサーバにそのことを通知することができない。
そこで、ソケットＳＷ４をＯＮするための信号を生成し、制御部１５に供給するためのスイッチを追加し、電気機器のプラグを挿入した際にこのスイッチを操作することで、図示しないサーバによる管理が再開される。
【符号の説明】
【００２１】
１  プラグソケット、２  ケーブル、３  電流センサ、４  ソケットＳＷ、５  電流増幅部、６  検知部ＳＷ、７  ＤＣケーブル、８  信号ケーブル、９  信号ケーブル、１０  信号ケーブル、１１  ＡＣケーブル、１２  ネットワーク、１３  通信部、１４  Ｉ／Ｏポート、１５  制御部、１６  タイマ、１７  制御装置、１８  ＤＣ電源部、１９  ＤＣケーブル、２０  ＡＣケーブル、２１  プラグ、２２  電流検知部、２３  通信部ＳＷ、２４  ＤＣケーブル、５０、５１  電源タップ
【図１】
0005953528.tif 000002
【図２】
0005953528.tif 000003
【図３】
0005953528.tif 000004
【図４】
0005953528.tif 000005
【図５】
0005953528.tif 000006
【図６】
0005953528.tif 000007